(57)【特許請求の範囲】
【請求項１】
物品保管棚の棚部前面を形成する横ビームに付設された上側開口部を有する平面コ字枠状のブラケットと、中央揺動棒の両端に互いに逆向きとなったＬ字形軸部を備えていて、横ビームから当該ブラケットに貫挿させた揺動レバーと、該揺動レバーの一端Ｌ字形部分に固定され、ブラケットの上側開口部で、横ビームの外側面に沿って上下に揺動するガード板とを備え、該ガード板は、横ビームの内側で、横ビームから上方に突出された揺動レバーの他端Ｌ字形部分に掛かるパレット荷重によってブラケットの上側開口部から出没可能としてなり、前記ブラケットは、左右側面部端面を横ビームの外側面に当接させて中央壁面部の左端下側、右端上側それぞれで挿入したボルトを横ビームにねじ込ませて横ビームに締結し、前記揺動レバーは、ブラケットの中央壁面部の右端上側で挿入したボルト位置に対して内側で且つ若干上側の位置で、一端Ｌ字形軸部によって横ビームに貫挿させ、この一端Ｌ字形軸部の先端に前記ガード板を固着すると共に該先端をブラケットの中央壁面部に挿入してなり、前記ブラケットの中央壁面部の左端下側に挿入してねじ込んだボルトを、ブラケット内への下方に待避揺動するガード板の先端下縁部分を係止させるストッパーとしたことを特徴とする物品保管棚のパレット落下防止装置。
【請求項２】
ガード板は、揺動レバーの他端Ｌ字形部分に掛かるパレット荷重の解放によって、当該ガード板の自重に任せてブラケット内部に退避可能となるよう揺動レバーとガード板との取付角度を４３°にしてなる請求項１記載の物品保管棚のパレット落下防止装置。
【請求項３】
ガード板は、揺動レバーの一端Ｌ字形部分に当該揺動レバーの中央揺動棒に対して４３°の角度位置で上下をカット形成されたカット軸部を当該ガード板端部に形成されたキー孔に挿入固定してなる請求項２記載の物品保管棚のパレット落下防止装置。
【発明の詳細な説明】
【技術分野】
【０００１】
本発明は、例えば倉庫内に並置された物品保管棚の棚部それぞれに、物品を載せたパレットをフォークリフト等を使って載置保管する際に、当該パレットが例えば地震等、その他の振動によって物品と共に落下しないようにするための物品保管棚のパレット落下防止装置に関する。
【背景技術】
【０００２】
物品保管棚は、所定間隔で立設された複数の縦フレームと、この縦フレーム相互間で架け渡し形成された棚部とから成る。そして、棚部は、縦フレーム相互間の前後それぞれで所定の高さ位置に設定されることで横架された前後の横ビームと、この前後の横ビーム相互間に所定間隔毎に架け渡されたデッキチャンネルとから成り、各種の物品を載せたパレットが、フォークリフト等を使用して搬入口・搬出口となる前記横ビームにて搬入・搬出されて載置可能となるようになっている。
【０００３】
しかし、このような物品保管棚に載せられたパレットは、例えば地震等によって物品と共に、搬入口・搬出口となる横ビーム側から下方に落下する虞があることから、従来では、例えば特許文献１に示すような落下防止装置を使用してパレット等の落下を防止するようにしている。この落下防止装置では、棚部の後端側には背面ビームを所定の高さに横架させ、棚部の前端側には、左右の縦フレームそれぞれに固定した縦長のブラケットを介して、落下防止バーが棚部前面位置の所定の高さ位置で引っ掛けられるようにしてある。
【０００４】
すなわち、ブラケットはコ字形枠材の相対向する両側面に縦長のスライド長孔が形成され、該スライド長孔の上端はＵ字状に折り返えされることで掛止孔が形成されている。そして、帯板状あるいは棒状の落下防止バーの両端がスライド長孔に上下動自在に挿着されており、フォークリフトを使ってパレットと共に物品を物品保管棚に載せる際には、この落下防止バーをブラケットのスライド長孔下端に落とし込んでおき、物品を物品保管棚に載せた後には、落下防止バーをブラケットのスライド長孔上端における掛止孔に掛着させる。こうすることで当該落下防止バーは所定の高さに保持され、これによって物品保管棚に載せられている物品を押さえておくことで、例えば地震等の振動等によって物品等が落下しないようにしている。
【特許文献１】特開２００５−５２６０３号公報
【発明の開示】
【発明が解決しようとする課題】
【０００５】
しかしながら、特許文献１に示すような従来装置においては、物品を載せたパレットをフォークリフトを使って物品保管棚へ搬入したり、物品保管棚から搬出したりする際に、当該フォークリフトを操作する作業員が搬入出作業の前後でフォークリフトのフォークを上下動操作することで、あるいは別の作業員が落下防止バーを手作業で直接に上げ下げする必要があることから、人手の掛かる煩雑な作業となっている。
【０００６】
また、従来装置では、背面ビーム・ブラケット・落下防止バー等の多くの各部材を設置する面倒な構成となっていることにより、物品保管棚自体の製造コストが嵩んでしまうという問題点を有していた。
【０００７】
そこで、本発明は叙上のような従来存した諸事情に鑑み創出されたもので、物品を載せたパレットをフォークリフトで物品保管棚に載せるだけで当該パレットの落下防止用のガード板を棚部前面位置の横ビーム上方に突出させ、またパレットの取り出し搬出でガード板を下方に退避させることができ、従来のように落下防止バーを手作業等によって上げ下げするという煩雑な作業が不要となり、簡易な構成で製造コストも安価な物品保管棚のパレット落下防止装置を提供することを目的とする。
【課題を解決するための手段】
【０００８】
上述した課題を解決するため、本発明にあっては、物品保管棚Ｒの棚部前面を形成する横ビームＢに付設された上側開口部を有するブラケット２と、横ビームＢから当該ブラケット２に貫挿させた両端逆向Ｌ字形となった揺動レバー７と、該揺動レバー７の一端Ｌ字形部分に固定され、ブラケット２の上側開口部で上下に揺動するガード板１０とを備え、該ガード板１０は、横ビームＢから上方に突出された揺動レバー７の他端Ｌ字形部分に掛かるパレットＰ荷重によってブラケット２の上側開口部から出没可能としてなるものである。
ガード板１０は、揺動レバー７の他端Ｌ字形部分に掛かるパレットＰ荷重の解放によって、当該ガード板１０の自重に任せてブラケット２内部に退避可能となるよう揺動レバー７とガード板１０との取付角度を４３°にしてなるものとすることができる。
また、ガード板１０は、揺動レバー７の一端Ｌ字形部分に当該揺動レバー７の中央揺動棒７ａに対して４３°の角度位置で上下をカット形成されたカット軸部８を当該ガード板１０端部に形成されたキー孔１１に挿入固定してなるものとすることができる。
また、具体的には、物品保管棚Ｒの棚部前面を形成する横ビームＢに付設された上側開口部を有する平面コ字枠状のブラケット２と、中央揺動棒７ａの両端に互いに逆向きとなったＬ字形軸部７ｂ，７ｃを備えていて、横ビームＢから当該ブラケット２に貫挿させた揺動レバー７と、該揺動レバー７の一端Ｌ字形部分７ｂに固定され、ブラケット２の上側開口部で、横ビームＢの外側面に沿って上下に揺動するガード板１０とを備え、該ガード板１０は、横ビームＢの内側で、横ビームＢから上方に突出された揺動レバー７の他端Ｌ字形部分７ｃに掛かるパレットＰ荷重によってブラケット２の上側開口部から出没可能としてなり、前記ブラケット２は、左右両側の側面部２ｂ端面を横ビームＢの外側面に当接させて中央壁面部２ａの左端下側、右端上側それぞれで挿入したボルト３ａ，３ｂを横ビームＢにねじ込ませることで横ビームＢに締結し、前記揺動レバー７は、ブラケット２の中央壁面部２ａの右端上側で挿入したボルト３ｂ位置に対して内側で且つ若干上側の位置で一端Ｌ字形軸部７ｃによって横ビームＢに貫挿させ、この一端Ｌ字形軸部７ｃの先端に前記ガード板１０を固着すると共に該先端をブラケット２の中央壁面部２ａに挿入してなり、前記ブラケット２の中央壁面部２ａの左端下側に挿入してねじ込んだボルト３ａを、ブラケット２内への下方に待避揺動するガード板１０の先端下縁部分を係止させるストッパーとしたものである。
【０００９】
以上のように構成された本発明に係る物品保管棚のパレット落下防止装置にあって、物品Ｑを載せたパレットＰをフォークリフト等で物品保管棚Ｒに載せた際に、横ビームＢの内側から斜め上方に突出されている揺動レバー７の他端Ｌ字形部分に当該パレットＰ荷重が掛かることで揺動レバー７を俯角揺動させる。
これと同時にガード板１０をブラケット２の上側開口部から斜向状に突出させ、パレットＰ側面に対向配置させる。このように突出したガード板１０によって物品保管棚ＲからのパレットＰの脱落を阻止可能にさせる。
また、物品Ｑを載せたパレットＰをフォークリフトで物品保管棚Ｒから持ち上げた際に、横ビームＢの内側で俯角揺動されていた揺動レバー７の他端Ｌ字形部分は当該パレットＰ荷重から解放される。
このときガード板１０の自重によって揺動レバー７は元の仰角位置に揺動させられ、これと同時にガード板１０をブラケット２の上側開口部から内方に退避揺動させる。このようなガード板１０の下方退避によって物品保管棚ＲからのパレットＰの搬出を可能にさせる。
【発明の効果】
【００１０】
本発明によれば、物品Ｑを載せたパレットＰをフォークリフト等で物品保管棚Ｒに載せるだけで当該パレットＰの落下防止用のガード板１０を横ビームＢ上方に突出させてパレットＰを押さえることができ、またパレットＰを持ち上げるだけでガード板１０を没入退避させてガード板１０に邪魔されることなくパレットＰを搬出でき、従来のように落下防止バーを手作業によって上げ下げするという煩雑な作業が不要となり、しかも簡易な構成であることで製造コストも掛からない。
【００１１】
すなわち、これは本発明が、物品保管棚Ｒの棚部前面を形成する横ビームＢのブラケット２、横ビームＢから当該ブラケット２に貫挿させた揺動レバー７、該揺動レバー７の一端Ｌ字形部分に固定されて上下に揺動するガード板１０それぞれを備え、該ガード板１０は、横ビームＢから上方に突出された揺動レバー７の他端Ｌ字形部分に掛かるパレットＰ荷重によってブラケット２の上側開口部から出没可能としてなるからである。これにより、物品Ｑを載せたパレットＰをフォークリフトで物品保管棚Ｒに載せた際には、横ビームＢの内側で斜め上方に突出されている揺動レバー７の他端Ｌ字形部分に当該パレットＰ荷重が掛かることで揺動レバー７を俯角揺動されると、これと同時にガード板１０をブラケット２の上側開口部から斜向状に突出させてパレットＰ側面に対向配置させることから、物品保管棚ＲからのパレットＰの脱落を当該ガード板１０によって確実に阻止することができる。
【００１２】
一方、物品Ｑを載せたパレットＰをフォークリフト等で物品保管棚Ｒから持ち上げた際には、横ビームＢの内側で俯角揺動されている揺動レバー７の他端Ｌ字形部分は当該パレットＰ荷重から解放され、これと同時にガード板１０をその自重によってブラケット２の上側開口部から内方に退避揺動させることから、当該ガード板１０に邪魔されずに物品保管棚ＲからのパレットＰの搬出作業が容易に行える。
【００１３】
また、ガード板１０は、揺動レバー７の他端Ｌ字形部分に掛かるパレットＰ荷重の解放によって、当該ガード板１０の自重に任せてブラケット２内部に退避可能となるよう揺動レバー７とガード板１０との取付角度を４３°にしてなるので、物品Ｑを載せたパレットＰを物品保管棚Ｒに載せていない状態では、ガード板１０をブラケット２内部に常時退避させておくことができ、これによって、当該ガード板１０に邪魔されずに物品保管棚ＲへのパレットＰの搬入作業が容易に行える。
【００１４】
さらに、ガード板１０は、揺動レバー７の一端Ｌ字形部分に当該揺動レバー７の中央揺動棒７ａに対して４３°の角度位置で上下をカット形成されたカット軸部８を当該ガード板１０端部に形成されたキー孔１１に挿入固定してなるので、揺動レバー７の他端Ｌ字形部分に掛かるパレットＰ荷重の解放によって、ガード板１０はこの自重に任せてブラケット２内部に退避可能となる機構が容易且つ確実に作動するように構成できる。
【００１５】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１６】
以下、図面を参照して本発明を実施するための最良の一形態を説明する。図において示される符号Ｒは、物品Ｑを載せたパレットＰを不図示のフォークリフトで搬送して、倉庫に保管しておくために、物品Ｑと共にパレットＰが棚部に載せられるようになっている所謂パレットラックと称する物品保管棚である。この物品保管棚Ｒは、図１に示すように、例えば左右にある各２本の縦フレームＦ相互間に、棚部を形成する前後一対の横ビームＢが例えば上下２段となってそれぞれ横架されている。そして、これら前後の横ビームＢの相互間には等間隔毎にデッキチャンネルＤを架け渡すことにより、各種の物品Ｑを載せたパレットＰを載置可能とする棚部が構成されている。尚、この物品保管棚Ｒの各部の構成は本発明を何等拘束するものではなく、本形態におけるほんの一例に過ぎないものであることは勿論である。
【００１７】
そして、棚部の前面に位置する横ビームＢの前側面には、パレットＰの載置位置に対応する間隔毎に、本発明に係るパレット落下防止装置１が設けられている。また、対向する後側の横ビームＢには、このパレット落下防止装置１の付設位置に略対応した箇所に、上下逆Ｌ字形状となった板片によるリアガード１５が付設され、フォークリフトでパレットＰを物品保管棚Ｒに載せる際に、このリアガード１５の位置までパレットＰを押し込むことで当該パレットＰは棚部上で位置決めされるようにしてある。
【００１８】
すなわち、このパレット落下防止装置１は、図２（ａ）、図３（ａ）、図３（ｂ）に示すように、横長板状の中央壁面部２ａと、左右両側の側面部２ｂとを備えたコ字枠状のブラケット２の当該側面部２ｂ端面を横ビームＢの外側面に当接させておき、中央壁面部２ａの左端下側、右端上側それぞれに形成したボルト孔と、該ボルト孔に対向すべく横ビームＢに形成したボルト孔とに左右のボルト３ａ，３ｂそれぞれを挿入させ、反対側から突出したボルト３ａ，３ｂ先端にナット４をねじ込ませて締結することで、横ビームＢの外面とブラケット２の中央壁面部２ａとの間で上下に開口部が向けられた状態で、横ビームＢにブラケット２が固定される。
【００１９】
また、図３（ｂ）および図４に示すように、ブラケット２の中央壁面部２ａにおける右端上側のボルト孔位置に対して内側で且つ当該ボルト孔位置よりも若干上側には軸孔５を設けると共に、該軸孔５に対応して横ビームＢにも軸孔６を設けてある。そして、これら軸孔５，６には、中央揺動棒７ａの両端に互いに逆向となったＬ字形軸部７ｂ，７ｃを備えてなる揺動レバー７の一端Ｌ字形軸部７ｂが貫挿される。
【００２０】
また、揺動レバー７の一端Ｌ字形軸部７ｂの先端側には、中央揺動棒７ａの方向に対して所定の角度、例えば４３°の角度位置で上下対称部分を略Ｄカット状に切欠され、且つ周面にネジ溝を形成してなるカット軸部８が形成されている。そして、先端に直角三角形の頂点を適宜アール形状に角落としされてなる係止尖端部９を有する例えば鋼板材等によるガード板１０がブラケット２内に配され、当該ブラケット２の末端部の若干上側に形成されたキー孔１１に、横ビームＢの軸孔６に挿通されている一端Ｌ字形軸部７ｂ先端のネジ溝にねじ込まれた六角ナット状のスペーサ１２を介在することで挿入されている。そして、カット軸部８の一端Ｌ字形軸部７ｂ先端には、さらに他の六角ナット状のスペーサ１３がねじ込まれ、ブラケット２の中央壁面部２ａにおける軸孔５に挿入されてから、ブラケット２における中央壁面部２ａ外側に突出したカット軸部８先端をキャップ１４で包覆してある。このとき、ガード板１０は、両サイドから例えばナット等によるスペーサ１２，１３でネジ込み締め付けられて固定されることにより位置決めされ、当該ガード板１０自体の落下防止の役割を担っている。
【００２１】
而して、ガード板１０は、揺動レバー７の揺動により、ブラケット２の上側開口部で上下方向に揺動するものとなっている。このとき、図３（ｃ）に示すように、ブラケット２を横ビームＢに固定する右端側のボルト３ｂは、ブラケット２内外で上下方に出没するガード板１０を約４３°の傾斜角度位置で末端縁部を係止させるためのストッパーとしての役割を果たす。
【００２２】
一方、図３（ａ）に示すように、左端側のボルト３ａは、ブラケット２内への下方に退避揺動するガード板１０の係止尖端部９における下縁部分を下方から受け止めて保持するためのストッパーとしての役割を果たす。
【００２３】
また、図２（ａ）および図３（ａ）に示すように、揺動レバー７の他端Ｌ字形軸部７ｃにパレットＰ荷重が掛からない状態では、ガード板１０はその自重によってブラケット２内に退避揺動されて、揺動レバー７が横ビームＢの内側で斜め上方に突出された配置状態となるようにしてある。
【００２４】
一方、図２（ｂ）および図３（ｃ）に示すように、揺動レバー７の他端Ｌ字形軸部７ｃにパレットＰ荷重が掛かっている状態では、ガード板１０は、ブラケット２の上側開口部から例えば約４３°の傾斜角度位置まで揺動された突出状態となるようにしてある。このとき、直角三角形状の係止尖端部９の上側傾斜部は横ビームＢとほぼ平行となり、且つ下側傾斜部は横ビームＢとほぼ直角となるようにガード板１０が配置される。
【００２５】
次に、以上のように構成された最良の形態についての使用の一例について説明する。先ず、物品ＱをパレットＰに載置し、不図示のフォークリフトを使って当該パレットＰを物品保管棚Ｒに載せるのであり、このとき、パレットＰはリアガード１５にまで突き当てられるように押し込まれて位置決めされる。すると、図２（ｂ）および図３（ｃ）に示すように、パレットＰ荷重が揺動レバー７の他端Ｌ字形軸部７ｃに掛かることで当該揺動レバー７は俯角揺動させられ、ガード板１０はブラケット２の上側開口部から約４３°の傾斜角度位置まで揺動されて突出する。こうしてパレットＰ側面にガード板１０が対向配置させられることから、このガード板１０によって例えば地震やその他の外力等の振動による物品保管棚ＲからのパレットＰの脱落が阻止されるのである（図１参照）。
【００２６】
また、物品Ｑを載せたパレットＰを物品保管棚Ｒから搬出するために当該パレットＰを不図示のフォークリフトを使って持ち上げた際には、横ビームＢの内側で俯角揺動されていた揺動レバー７の他端Ｌ字形軸部７ｃは当該パレットＰ荷重から解放される。すると、図２（ａ）および図３（ａ）に示すように、ガード板１０はその自重によってブラケット２の上側開口部から内方に退避揺動させられると同時に、揺動レバー７は元の仰角位置に揺動させられる。こうしてガード板１０のブラケット２内への退避によって物品保管棚ＲからのパレットＰの搬出が可能となるのである。
【図面の簡単な説明】
【００２７】
【図１】本発明を実施するための最良の形態におけるパレット落下防止装置を備えた物品保管棚の使用状態を示す斜視図である。
【図２】同じくパレット落下防止装置の使用動作を説明するもので、（ａ）は物品保管棚にパレットを載せる前の状態を示すパレット落下防止装置の斜視図、（ｂ）は物品保管棚にパレットを載せた状態を示すパレット落下防止装置の斜視図である。
【図３】同じくパレット落下防止装置の使用動作を説明するもので、（ａ）は物品保管棚にパレットを載せる前の状態を示すパレット落下防止装置の正面図、（ｂ）は（ａ）のＸ−Ｘ部分の断面図、（ｃ）は物品保管棚にパレットを載せた状態を示すパレット落下防止装置の正面図である。
【図４】同じくパレット落下防止装置の概略分解斜視図である。
【符号の説明】
【００２８】
Ｑ…物品                                Ｐ…パレット
Ｒ…物品保管棚                          Ｆ…縦フレーム
Ｂ…横ビーム                            Ｄ…デッキチャンネル
１…パレット落下防止装置                ２…ブラケット
２ａ…中央壁面部                        ２ｂ…側面部
３ａ，３ｂ…ボルト                      ４…ナット
５，６…軸孔                            ７…揺動レバー
７ａ…中央揺動棒                        ７ｂ，７ｃ…Ｌ字形軸部
８…カット軸部                          ９…係止尖端部
１０…ガード板                          １１…キー孔
１２，１３…スペーサ                    １４…キャップ
１５…リアガード
【図１】
0004890494.tif 000002
【図２】
0004890494.tif 000003
【図３】
0004890494.tif 000004
【図４】
0004890494.tif 000005